(57)【要約】【課題】照明手段によって照らされることにより生じる（映り込みやムラなどの）反射光の影響が考慮された背景提供部を含む自動写真作成装置を提供する。【解決手段】本自動写真作成装置は、利用者が入る撮影室２と、利用者の撮影画像を含む合成画像を生成して写真シールとして出力する本体部４とを備えており、撮影室２内には被写体の背景を提供する背景提供部として背景パネル３００を備えている。この背景パネル３００には、フラッシュ１１からの光線Ｌａに照らされる対向面上の所定位置に、当該対向面とは異なる所定の角度をなす反射面を有する平板状の反射部３０１が設けられている。この反射部３０１により、光線Ｌａはカメラ１０の設置位置へ向かう方向とは異なる方向へ光線Ｌｂとして鏡面反射されるため、フラッシュ１１が映り込むことのない自然な背景を含む写真シールが出力される。【選択図】        図４
2004264569.tif 000002
【特許請求の範囲】
【請求項１】
所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記照明手段から投射される光が鏡面反射により前記撮影手段に与えられることを抑制する映り込み抑制手段を含むことを特徴とする自動写真作成装置。
【請求項２】
前記映り込み抑制手段は、前記照明手段から投射される光を、前記撮影手段へ向かう方向とは異なる方向へ鏡面反射する反射手段であることを特徴とする、請求項１に記載の自動写真作成装置。
【請求項３】
所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記照明手段から投射される光を前記撮影手段に向かう方向へ反射する反射手段を含み、
前記反射手段は、前記背景提供部の周縁部近傍に設けられることを特徴とする自動写真作成装置。
【請求項４】
前記反射手段は、前記照明手段から投射される光を前記撮影手段へ向かう方向へ鏡面反射することを特徴とする、請求項３に記載の自動写真作成装置。
【請求項５】
所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記照明手段から投射される光を前記撮影手段へ向かう方向へ反射する複数の反射手段を含み、
前記反射手段は、出力されるべき写真に写る背景に所定のパターンが形成されるように、所定位置に配置されることを特徴とする、自動写真作成装置。
【請求項６】
前記複数の反射手段は、凹凸を有する面を構成するように配置されることを特徴とする、請求項５に記載の自動写真作成装置。
【請求項７】
前記複数の反射手段は、前記照明手段から投射される光を前記撮影手段へ向かう方向へ鏡面反射することを特徴とする、請求項５または請求項６に記載の自動写真作成装置。
【請求項８】
所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記照明手段から投射される光が鏡面反射により前記撮影手段に与えられることを抑制する映り込み抑制手段を含む背景提供部を撮影することを特徴とする自動写真作成方法。
【請求項９】
所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記照明手段から投射される光を前記撮影手段に向かう方向へ反射する反射手段であって前記背景提供部の周縁部近傍に設けられる反射手段を含む背景提供部を撮影することを特徴とする自動写真作成方法。
【請求項１０】
所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記照明手段から投射される光を前記撮影手段へ向かう方向へ反射する複数の反射手段であって出力されるべき写真に写る背景に所定のパターンが形成されるように所定位置に配置される複数の反射手段を含む背景提供部を撮影することを特徴とする、自動写真作成方法。
【請求項１１】
請求項８から請求項１０までのいずれか１項に記載の自動写真作成方法により写真として印刷されたことを特徴とする印刷媒体。
【発明の詳細な説明】
【０００１】
【発明の属する技術分野】
本発明は、利用者をカメラで撮影し、その撮影画像に基づき生成される合成画像を写真として出力する自動写真作成装置、自動写真作成方法、および印刷媒体に関する。
【０００２】
【従来の技術】
従来より、利用者をカメラで撮影し、その撮影画像を写真として出力する遊戯用写真作成装置が知られている。このような遊戯用写真作成装置は、遊戯性または娯楽性が高いことから、撮影画像と合成すべき画像（以下「付加画像」という）を、利用者の嗜好に応じて、予め用意された多種多様な背景画像および前景画像から選択したり、タッチペンやライトペン等のペン型入力手段を用いて利用者が自由に描いたりできるように構成されているものが多い。また、利用者とともに実際に撮影される利用者の背景を構成するように、利用者の背後に所定の色や柄を有する背景用カーテンなどの背景を提供する部材（以下「背景提供部」という）が設けられていることが多い。さらに、当該背景を利用者の嗜好に合わせて変更するために、背景用カーテンなどの背景提供部の色や柄を利用者が自由に選択できるように構成されているものがある。例えば、特開２０００−２６７１７９号公報には、ロール状に巻かれた異なる色や柄が付された複数のスクリーンから１つを引き出すことにより、背景用カーテンの色や柄を利用者が自由に選択できる映像プリント遊戯装置の構成が開示されている。
【０００３】
【特許文献１】
特開２０００−２６７１７９号公報
【０００４】
【発明が解決しようとする課題】
しかし、これらの背景は、所定の平面に対して色や柄などが単純に付されることにより形成されているため、撮影時にフラッシュなどの照明手段によって照らされることにより生じる反射光の好ましくない影響に関する格別の考慮はなされていない。例えば、光を強く反射する素材が背景提供部に用いられる場合、当該背景提供部からの反射光により背景の特定部分が不自然に明るく輝いている写真、すなわち照明手段の映り込んだ写真が出力されることがある。このような背景を含む写真は、遊戯用写真作成装置から出力されるべき写真として好ましいとは言えない。この点、一般的な写真撮影では、上記映り込みを防止するために、カメラや照明手段の設置位置を適宜変更することが可能であるが、遊戯用写真作成装置の限られた空間内ではカメラや照明手段の設置位置を適宜変更することは容易ではない。
【０００５】
また、背景提供部の周縁部近傍では、その中央部近傍に比べて照明手段からの距離が比較的離れているため、当該周縁部近傍からの反射光が弱くなる。その結果、他の部分に比べて上記周縁部近傍が暗くなるため、背景の明るさにムラのある写真が出力されることがある。このような背景を含む写真は、遊戯用写真作成装置から出力されるべき写真として好ましいとは言えない。この点、一般的な写真撮影では、上記ムラを防止するために、照明手段の設置位置や設置数を適宜変更することが可能であるが、遊戯用写真作成装置の限られた空間内では照明手段の設置位置や設置数を適宜変更することは容易ではなく、また多くの照明手段を設置するためには費用もかかる。
【０００６】
そこで本発明では、上記映り込みや上記ムラなどが抑制されるように、照明手段によって照らされることにより生じる反射光の影響が考慮された背景提供部を含む自動写真作成装置、自動写真作成方法、および印刷媒体を提供することを目的とする。
【０００７】
【課題を解決するための手段および発明の効果】
第１の発明は、所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記照明手段から投射される光が鏡面反射により前記撮影手段に与えられることを抑制する映り込み抑制手段を含むことを特徴とする。
【０００８】
このような第１の発明によれば、映り込み抑制手段により照明手段からの光が撮影手段に与えられることが抑制される。そのため、出力されるべき写真に含まれる背景に照明手段が映り込むことのないように、（鏡面）反射光の影響が考慮された背景提供部を本遊技用写真作成装置に備えることができる。
【０００９】
第２の発明は、第１の発明において、
前記映り込み抑制手段は、前記照明手段から投射される光を、前記撮影手段へ向かう方向とは異なる方向へ鏡面反射する反射手段であることを特徴とする。
【００１０】
第３の発明は、所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記照明手段から投射される光を前記撮影手段に向かう方向へ反射する反射手段を含み、
前記反射手段は、前記背景提供部の周縁部近傍に設けられることを特徴とする。
【００１１】
このような第３の発明によれば、照明手段からの光（の全部または一部）は、背景提供部の反射手段により撮影手段の設置位置へ向かう方向へ反射される。そのため、背景の周縁部が暗くなることがないように反射光の影響が考慮された背景パネルを本遊技用写真作成装置に備えることができる。
【００１２】
第４の発明は、第３の発明において、
前記反射手段は、前記照明手段から投射される光を前記撮影手段へ向かう方向へ鏡面反射することを特徴とする。
【００１３】
第５の発明は、所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記照明手段から投射される光を前記撮影手段へ向かう方向へ反射する複数の反射手段を含み、
前記反射手段は、出力されるべき写真に写る背景に所定のパターンが形成されるように、所定位置に配置されることを特徴とする。
【００１４】
このような第５の発明によれば、照明手段からの光は、背景提供部の各反射手段により所定のパターンが形成されるように反射される。この反射光により遊技性または娯楽性を生じるべき意外性を有するデザイン性が得られるように、かつ背景の周縁部が暗くなることがないように、反射光の影響が考慮された背景パネルを本遊技用写真作成装置に備えることができる。
【００１５】
第６の発明は、第５の発明において、
前記複数の反射手段は、凹凸を有する面を構成するように配置されることを特徴とする。
【００１６】
第７の発明は、第５または第６の発明において、
前記複数の反射手段は、前記照明手段から投射される光を前記撮影手段へ向かう方向へ鏡面反射することを特徴とする。
【００１７】
第８の発明は、所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記照明手段から投射される光が鏡面反射により前記撮影手段に与えられることを抑制する映り込み抑制手段を含む背景提供部を撮影することを特徴とする。
【００１８】
第９の発明は、所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記照明手段から投射される光を前記撮影手段に向かう方向へ反射する反射手段であって前記背景提供部の周縁部近傍に設けられる反射手段を含む背景提供部を撮影することを特徴とする。
【００１９】
第１０の発明は、所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記照明手段から投射される光を前記撮影手段へ向かう方向へ反射する複数の反射手段であって出力されるべき写真に写る背景に所定のパターンが形成されるように所定位置に配置される複数の反射手段を含む背景提供部を撮影することを特徴とする。
【００２０】
第１１の発明は、第８から第１０までのいずれか１つの発明に記載の自動写真作成方法により写真として印刷されたことを特徴とする印刷媒体である。
【００２１】
【発明の実施の形態】
以下、本発明の実施形態につき添付図面を参照して説明する。
＜１  第１の実施形態＞
＜１．１  全体構成＞
図１は、本発明の第１の実施形態に係る自動写真作成装置である遊戯用写真作成装置を側面から見た図であり、図２は、この遊戯用写真作成装置の本体部４を正面から（被写体としての利用者Ｕから見た）図である。以下、図１および図２を参照して、本実施形態に係る遊戯用写真作成装置の全体構成について説明する。
【００２２】
この遊戯用写真作成装置は、利用者Ｕが入る撮影室２と、利用者Ｕの撮影画像を含む合成画像を生成して写真シール（または写真カード）として出力する本体部４とを備えており、撮影室２内には被写体Ｕの背景を提供する背景提供部として背景パネル３００を備えている。
【００２３】
本体部４は、利用者Ｕを撮影する撮像手段としてのカメラ１０と、当該カメラ１０上方の適宜の位置に配置され閃光を発するフラッシュ１１と、当該カメラ１０の下方に配置されたＣＲＴ（Ｃａｔｈｏｄｅ  Ｒａｙ  Ｔｕｂｅ）または液晶ディスプレイパネル等からなる表示装置であるプレビューモニタ２２と、撮影画像を表示し、利用者Ｕによる自由な作図（らくがき編集と呼ばれる）を行うための画面や、操作画面などを提供する液晶ディスプレイおよび当該操作画面を覆う操作位置検出用の透明シートからなる液晶タッチパネル２０と、液晶タッチパネル２０に対する操作に使用されるタッチペン２１とを備える。カメラ１０は、撮影室２の床面上に存在する利用者Ｕを被写体として撮影し、その撮影画像を表す画像信号を出力する。典型的には、ＣＣＤ（電荷結合素子）を利用してデジタル画像信号を生成するデジタルカメラが使用される。プレビューモニタ２２は、上記画像信号の表す画像をリアルタイムで表示するように構成されており、カメラ１０によって得られる撮影画像を確認するために使用される。
【００２４】
また本体部４は、コンピュータを中心に構成され各部の制御や上記画像合成等の画像処理を行う主制御装置およびＩ／Ｏ制御装置や、カメラ１０により得られる撮影画像または当該撮影画像を含む合成画像を写真シール（または写真カード）として出力するプリンタ等を内蔵している。さらに、本体部４は、前面下方にコイン投入口２６を、側面に写真シールの取出口２８を、それぞれ備えている。さらにまた、本体部４は、本遊戯用写真作成装置の動作中は常時点灯される照明装置２０１Ｌ，２０１Ｒをカメラ１０の左右にそれぞれ備えている。
【００２５】
背景パネル３００は、被写体の背景を構成するように撮影時における利用者Ｕの後方に配置され、その利用者Ｕの背面に対向する面（以下「対向面」という）を有しており、その対向面上の所定の位置には当該面とは異なる角度をなす平板状の反射部が設けられている。この背景パネル３００（および反射部）は、投射される光の一部または全部を反射する素材、例えば樹脂またはキルティング加工が施された布地やビニール地などからなる。この背景パネル３００の具体的な構成については後述する。
【００２６】
＜１．２  機能的構成＞
図３は、本実施形態に係る遊戯用写真作成装置の要部を機能面から見た構成を示すブロック図である。この遊戯用写真作成装置は、機能的には、撮像部５２と、確認表示部５４と、メイン表示・操作部６２と、出力部６４と、照明部７０と、Ｉ／Ｏ制御部７２と、背景提供部７４と、主制御部８０とから構成される。
【００２７】
この構成において、撮像部５２は、ＣＣＤ等の撮像素子を用いて構成されるカメラ１０に相当し、リアルタイムに画像を取り込んで当該画像（この画像は「スルー画像」と呼ばれることがあるが、以下では「モニタ用撮影画像」という）を表す画像信号を出力する。この画像信号は主制御部８０に入力されて、その内部のメモリにモニタ用画像データとして一時的に記憶される。また、このモニタ用画像データは、モニタ用画像信号として主制御部８０から確認表示部５４に供給される。確認表示部５４は、プレビューモニタ２２に相当し、そのモニタ用画像信号に基づきモニタ用撮影画像をリアルタイムで表示する。
【００２８】
メイン表示・操作部６２は、液晶タッチパネル２０に相当し、利用者Ｕの操作や、シャッター操作、プリント出力のための操作等を受け付け、これらの操作を示す信号は、操作信号として主制御部８０に入力される。いま、利用者Ｕの撮影のためにシャッターボタンが押下されたとすると、主制御部８０からの指示に基づき、数秒程度の予め決められた時間の経過後にカメラ１０の撮影方向にフラッシュ１１から閃光が放たれ、利用者Ｕの撮影画像（以下、このようなシャッターボタンが押下されたときの撮影画像を「プリント用撮影画像」という）を表す信号として撮像部５２から出力される画像信号が主制御部８０に入力され、主制御部８０内のメモリまたは補助記憶装置としてのハードディス装置等にプリント用画像データとして格納される。出力部６４は、本体部４に内蔵されるプリンタに相当し、主制御部８０からの指示に基づき、このプリント用画像データの表す画像を写真シール（または写真カード）として出力する。
【００２９】
照明部７０は、本体部４における照明装置２０１Ｌ，２０１Ｒとフラッシュ１１とに相当し、主制御部８０からの指示に基づきＩ／Ｏ制御部７２によって点灯／消灯および調光が制御される。
【００３０】
Ｉ／Ｏ制御部７２は、本体部４に内蔵されるＩ／Ｏ制御装置に相当し、主制御部８０からの指示に基づき、照明部７０や背景提供部７４を制御すると共に、後述のコイン検出部（不図示）からの検出信号等の入力信号を主制御部８０へ転送する。
【００３１】
主制御部８０は、本体部４に内蔵され、ＣＰＵ（Ｃｅｎｔｒａｌ  Ｐｒｏｃｅｓｓｉｎｇ  Ｕｎｉｔ  ）や、メモリ、タイマー、補助記憶装置などを含むコンピュータを中心に構成される主制御装置に相当し、内部メモリに格納された所定プログラムをＣＰＵが実行することにより、上述のようにして入力される操作信号に基づき各部を制御するために、上述のように各部に指示を出す。また、モニタ用またはプリント用撮影画像に対する画像処理を行い、操作信号に基づき上記のモニタ用画像データまたはプリント用画像データの一部を書き換えることにより、モニタ用撮影画像またはプリント用撮影画像に所定画像を描画した画像であるモニタ用合成画像またはプリント用合成画像を生成する。上記のような画像合成が行われると、その後、確認表示部５４（プレビューモニタ２２）またはメイン表示・操作部６２には、モニタ用画像データに基づきモニタ用合成画像が表示され、出力部からはプリント用合成画像が写真シール等として出力される。出力された写真シール等は、本体部４の側面に設けられた取出口２８から取り出される。
【００３２】
上記の構成要素の他、本体部４におけるコイン投入口２６に投入されたコインを検出するためのコイン検出部（不図示）が更に本体部４に設けられており、主制御部８０は、コイン検出部での検出結果に基づき、利用者Ｕに所定時間だけ撮影や撮影画像に対する描画等による合成画像の生成など、本遊戯用写真作成装置によるプレイを許容するように各部を制御する。このコイン検出部やその検出結果に基づく主制御部８０による制御動作は、従来の遊戯用写真作成装置と同様であって周知であるので、その詳しい説明を省略する。
【００３３】
＜１．３  背景パネルの具体的な構成＞
図４は、上記背景パネルの具体的な構成を示す概略側面図である。この背景パネル３００には、（フラッシュ１１からの光に照らされる）対向面上の所定位置に、当該面とは異なる所定の角度をなす反射面を有する平板状の反射部３０１が設けられている。図中の一点鎖線は、フラッシュ１１から反射部３０１へ投射された光線Ｌａと、この光線Ｌａが反射部３０１により鏡面反射された光線Ｌｂとを示しており、点線は反射部３０１の反射面と上記対向面とが平行（または同一平面）に配置されると仮定した場合、上記光線Ｌａが反射部３０１により鏡面反射されるべき光線Ｌｈを示している。
【００３４】
なお、一般的に鏡面反射とは光の入射角と反射角とが等しくなる反射のことを意味するが、実際にはこの鏡面反射により、上記反射角をなす方向を中心として所定の範囲に所定の強度分布を有する反射光が生じることになる。本明細書における鏡面反射には、上記反射角に上記所定の範囲の広がりを有する反射を含むものとする。また、ここでの鏡面反射率は低い値であってもよい。その場合、背景パネル３００に投射される光の大部分は、その表面の（細かい）凹凸により全方向に散乱される、すなわち拡散反射されるが、本実施形態では鏡面反射に着目して説明する。
【００３５】
図示されるように、光線Ｌｈはカメラ１０により受け取られるため、反射部３０１の反射面と上記対向面とが平行（または同一平面）に配置される場合、当該反射部３０１近傍が不自然に明るく輝いている状態、すなわちフラッシュ１１が映り込んだ背景を含む（プリント用合成画像としての）写真シールが出力される。そこで、このような映り込みを抑制するため、上記プリント用合成画像においてフラッシュ１１が映り込むべき位置に相当する背景パネル３００の所定位置に反射部３０１を設け、その反射面と上記対向面とが所定の角度をなすように傾ける。この構成により、光線Ｌａはカメラ１０の設置位置へ向かう方向とは異なる方向へ（光線Ｌｂとして）鏡面反射されるため、フラッシュ１１が映り込むことのない自然な背景を含む写真シールが出力される。
【００３６】
＜１．４  効果＞
上記のように本実施形態によれば、フラッシュ１１からの光は、反射部３０１によりカメラ１０の設置位置へ向かう方向とは異なる方向へ鏡面反射される。そのため、出力されるべき写真シールに含まれる背景にフラッシュ１１が映り込むことのないように、（鏡面）反射光の影響が考慮された背景パネルを本遊技用写真作成装置に備えることができる。
【００３７】
＜１．５  第１の実施形態の変形例＞
上記第１の実施形態では、反射部３０１の反射面と上記対向面とが所定の角度をなし、上記反射面がやや上方へ傾けられるように図示されるが、下方や左右方向などいずれの方向に傾けられてもよい。
【００３８】
また、上記第１の実施形態における反射部３０１は典型的には平板状であるが、出力されるべき写真シール（プリント用合成画像）にフラッシュ１１が好ましくない程度の明るさで（はっきりと）映り込むことのないように、カメラ１０の設置方向へ向かう反射部３０１からの鏡面反射光（光線Ｌｈ）の光強度が低減されれば足りる。よって、反射部３０１は、曲面状（例えば凸面や凹面）であってもよく、多面体により構成されていてもよい。これらの場合、上記曲面での各部分または上記多面体の各面における光の反射方向が様々になるため、必ずしも反射部３０１全体が傾けられる必要はない。
【００３９】
さらに、上記第１の実施形態における反射部３０１は、出力される写真シール（プリント用合成画像）においてフラッシュ１１が映り込むべき位置である所定の領域に相当する背景パネル３００の所定位置に設けられるが、当該所定の領域を含むより広い範囲に設けられてもよいし、上記鏡面反射光の光強度が低減される程度のやや狭い領域に設けられてもよい。なお、フラッシュ１１以外の照明手段が出力されるべき写真シール（プリント用合成画像）に映り込む場合、反射部３０１は、当該照明手段の映り込むべき位置に相当する背景パネル３００の所定位置に設けられてもよい。
【００４０】
さらにまた、反射部３０１に代えて、出力されるべき写真シール（プリント用合成画像）にフラッシュ１１が好ましくない程度の明るさで（はっきりと）映り込むことのないように、カメラ１０の設置方向へ向かう鏡面反射光の光強度が低減されるような素材、典型的には鏡面反射をほとんど生じない素材で構成される部材が上記所定位置に設けられてもよいし、鏡面反射が起こらないように開口部が設けられてもよい。
【００４１】
＜２  第２の実施形態＞
次に、本発明の第２の実施形態に係る自動写真作成装置である遊戯用写真作成装置を説明する。この遊戯用写真作成装置では、第１の実施形態における背景提供部である背景パネル３００に代えて、ほぼ同様の位置に、上述の対向面に対して異なる角度をなす複数の反射面を有する背景パネル４００が設けられている。本実施形態における他の構成要素は、第１の実施形態におけるものとほぼ同様であるので、同一または対応する構成要素には同一の参照符号を付して詳しい説明を省略する（図１〜図３参照）。以下、背景パネル４００の具体的な構成につき説明する。
【００４２】
＜２．１  背景パネルの具体的な構成＞
図５は、本実施形態における背景パネル４００を含む遊戯用写真作成装置を側面から見た図である。この背景パネル４００には、（フラッシュ１１からの光に照らされる）対向面上のほぼ全体にわたり、互いになす角度が異なる複数の反射面が設けられている。なお、図中の矢印は、フラッシュ１１から各反射面へ投射された光線と、当該光線が上記反射面により鏡面反射された光線とを概略的に示している。
【００４３】
図示されるように、各反射面は、フラッシュ１１から投射された光線を鏡面反射によってカメラ１０に与えるため、上記対向面とは異なる所定の角度をなすように傾けられて設置されている。そのため、フラッシュ１１からの距離が比較的離れている背景パネル４００の周縁部近傍に配置される反射面であっても、当該反射面からカメラ１０に与えられる反射光の光強度が大きくなる。したがって、背景パネル４００の他の部分に比べて上記周縁部近傍（に位置する反射面）が暗くなることがなく、背景の明るさにムラの少ない写真が出力される。なお、上記反射面は、フラッシュ１１以外の照明手段（例えば照明装置２０１Ｌ，２０１Ｒ）や装置外部からの光を鏡面反射するものであってもよい。
【００４４】
＜２．２  効果＞
上記のように本実施形態によれば、フラッシュ１１からの光（の全部または一部）は、背景パネル４００の各反射面によりカメラ１０の設置位置へ向かう方向へ鏡面反射される。そのため、背景の周縁部が暗くなることがないように反射光の影響が考慮された背景パネルを本遊技用写真作成装置に備えることができる。
【００４５】
なお、上記鏡面反射光の光強度が或る程度大きい場合、当該反射面の一部が明るく輝いている状態、すなわちフラッシュ１１の映り込んだ写真シール（プリント用合成画像）が出力される。しかし、上記第１の実施形態における場合とは異なり、上記各反射面の個数および配置状態に応じて、フラッシュ１１の映り込む位置には所定のパターン（デザイン性）が見られる。その結果、利用者から見たとおりの色や柄以外に、映り込んだフラッシュ１１が背景のデザインとして機能する。このデザインは、撮影するまでは利用者に判別できないため、遊技性または娯楽性を生じるべき意外性を得ることができる。
【００４６】
＜２．３  第２の実施形態の変形例＞
上記第２の実施形態では、背景パネル４００の反射面のほとんどが傾けられているが、背景の周縁部が暗くなることがないように、反射光の光強度が比較的小さくなる背景パネル４００の周縁部近傍（特に下端近傍）の反射面が傾けられていれば足りる。すなわち、背景パネル４００の反射面は、その周縁部近傍（特に下端近傍）に設けられていれば足りる。なお、各反射面は上下方向に沿って配置されるように図示されているが、左右方向、または上下方向および左右方向などに配置されてもよい。
【００４７】
また、上記第２の実施形態における背景パネル４００の反射面は平板状に図示されているが、この反射面は、フラッシュ１１からの光の全部または一部をカメラ１０の設置位置へ向かう方向へ鏡面反射すればよいので、複数の曲面または１つの連続した曲面（典型的には凹面）であってもよいし、再帰性反射材（例えばガラスビーズなどからなる微細構造を有する素材）により構成されてもよい。
【００４８】
さらに、上記第２の実施形態における背景パネル４００の反射面は、主として拡散反射光をカメラ１０に与えるものであってもよい。この場合、反射面の角度は無関係となるが、各反射面の光反射率が異なるように、その表面形状または素材が選択される。具体的には、フラッシュ１１から比較的離れている背景パネル４００の周縁部近傍に配置される反射面の反射率が高くなるように、その表面形状または素材を選択することにより、当該反射面からカメラ１０に与えられる反射光の光強度を大きくする。このことにより、背景パネル４００の他の部分に比べて上記周縁部近傍（に位置する反射面）が暗くなることがなく、背景の明るさにムラの少ない写真シールが出力される。なお、上記反射面は、フラッシュ１１以外の照明手段（例えば照明装置２０１Ｌ，２０１Ｒ）や装置外部からの光を拡散反射するものであってもよい。
【００４９】
＜３  第３の実施形態＞
次に、本発明の第３の実施形態に係る自動写真作成装置である遊戯用写真作成装置を説明する。この遊戯用写真作成装置では、第１の実施形態における背景提供部である背景パネル３００に代えて、ほぼ同様の位置に、互いになす角度が異なる複数の反射面を有する背景パネル５００が設けられている。本実施形態における他の構成要素は、第１の実施形態におけるものとほぼ同様であるので、同一または対応する構成要素には同一の参照符号を付して詳しい説明を省略する（図１〜図３参照）。以下、背景パネル５００の具体的な構成につき説明する。
【００５０】
＜３．１  背景パネルの具体的な構成＞
図６は、本実施形態における背景パネル５００を含む遊戯用写真作成装置を側面から見た図であり、図７は、撮影時における（カメラ１０により撮像された）背景パネル５００の対向面を、正面（カメラ１０）から見た概略図である。この背景パネル４００には、フラッシュ１１からの光に照らされる対向面上に、ほぼ同一の曲面形状を有する複数の反射面が設けられている。図では、左右方向に５列、上下方向に６行が配置された合計３０個の反射面が示されている。また、図中の斜線部は暗い部分を示し、白い円形内部は明るい部分を示している。
【００５１】
図示されるように、各反射面は、フラッシュ１１から投射された光線を鏡面反射によってカメラ１０に与えるが、これらの反射面が曲面であることにより、カメラ１０への鏡面反射光を生じる位置がそれぞれ異なる。また、当該位置における曲率も異なる。具体的には、反射面の中央部近傍の曲率よりも周縁部近傍の曲率の方が大きい。したがって、図７に示されるように、出力されるべき写真シール（プリント用合成画像）において、カメラ１０およびフラッシュ１１に近い反射面の明るい部分（すなわちフラッシュ１１の映り込んだ部分）が大きくなり、カメラ１０およびフラッシュ１１から離れるにつれて、反射面の明るい部分が小さくなる。このことにより、反射面の明るい部分には所定のパターン（デザイン性）が見られる。その結果、利用者から見たとおりの色や柄以外に、映り込んだフラッシュ１１が背景のデザインとして機能する。このデザインは、撮影するまでは利用者に判別できないため、遊技性または娯楽性を生じるべき意外性が得られる。
【００５２】
また、各反射面の鏡面反射により、ほとんどの反射面に明るい部分（すなわちフラッシュ１１が映り込んだ部分）が生じ、フラッシュ１１からの距離が比較的離れている背景パネル５００の周縁部近傍に配置される反射面においても上記の明るい部分が生じるため、当該周縁部近傍に配置される反射面からカメラ１０に与えられる反射光の光強度が大きくなる。したがって、背景パネル５００の他の部分に比べて上記周縁部近傍（に位置する反射面）が暗くなることがなく、背景の明るさにムラの少ない写真シールが出力される。なお、上記反射面は、フラッシュ１１以外の照明手段（例えば照明装置２０１Ｌ，２０１Ｒ）からの光を反射するものであってもよい。
【００５３】
＜３．２  効果＞
上記のように本実施形態によれば、フラッシュ１１からの光は、背景パネル４００の各反射面により所定のパターンが形成されるように鏡面反射される。この反射光により遊技性または娯楽性を生じるべき意外性を有するデザイン性が得られるように、かつ背景の周縁部が暗くなることがないように、反射光の影響が考慮された背景パネルを本遊技用写真作成装置に備えることができる。
【００５４】
＜３．３  第３の実施形態の変形例＞
上記第３の実施形態における背景パネル５００は、左右方向に５列、上下方向に６行の反射面を有するが、配列数および配列方向はこれに限定されるわけではない。また、上記背景パネル５００の全ての反射面は略同一の曲面形状であるが、映り込んだフラッシュ１１が背景のデザインとして機能すればよいため、これらの反射面の形状は全て同一である必要はなく、背景パネル５００全体が凹凸を有する形状となればよく、上記反射面は曲面以外の形状（例えば多数の平面を組み合わせてなる形状）であってもよい。さらに、上記背景パネル５００に代えて、各反射面の反射率が異なるように形状や素材が選ばれることにより映り込んだフラッシュ１１が背景のデザインとして機能する背景提供部材が設けられてもよい。なお、背景パネル５００は、光の多くを拡散反射する反射面を有してもよい。この場合には、鏡面反射による上記効果は小さくなるが、反射面の凹凸により所定の模様が得られることから、デザイン性が得られる。以下、図８および図９を参照して、反射面の凹凸により所定の模様が得られる背景パネルの例を説明する。
【００５５】
図８は、上記第３の実施形態の変形例における背景パネル５５０を含む遊戯用写真作成装置を側面から見た図であり、図９は、撮影時における（カメラ１０により撮像された）背景パネル５５０の対向面を、正面（カメラ１０）から見た概略図である。この背景パネル５５０には、フラッシュ１１からの光に照らされる対向面上に、ほぼ正方形の反射面を有する直方体が所定の間隔をあけて複数設けられている。図では、左右方向に５列、上下方向に６行が配置された合計３０個の反射面を有する直方体が示されている。したがって、背景パネル５５０の対向面は、当該反射面を含む直方体により凹凸を有する面として構成される。また、図中の斜線部は反射面以外の対向面の暗い部分を示し、白い正方形内部は反射面の明るい部分を示し、網掛け部は直方体の影となる対向面の一部分を示している。なお、反射面以外の対向面の光反射率は、反射面の光反射率よりも低いものとする。
【００５６】
図９に示されるように、出力されるべき写真シール（プリント用合成画像）において、各反射面は拡散反射により明るくなり、反射面以外の対向面は暗くなるが、フラッシュ１１から投射された光線が上記直方体に遮られることにより反射面以外の対向面の一部に影となる部分が生じる。このことにより、反射面を含む直方体により凹凸が形成された対向面には、反射面とそれ以外の対向面とによる平面的な明暗の配列とは異なるパターン、すなわち立体形状により表現された所定の明暗のパターン（デザイン性）が見られる。その結果、利用者から見たとおりの色や柄以外に、フラッシュ１１からの光により生じる影の部分が背景のデザインとして機能する。このデザインは、撮影するまでは利用者に判別できないため、遊技性または娯楽性を生じるべき意外性が得られる。
【００５７】
＜４  その他＞
本発明は上記の各実施形態やその変形例に限定されるものではなく、本発明の範囲を逸脱しない限りにおいて種々の変形を施すことができる。
【図面の簡単な説明】
【図１】本発明の第１の実施形態に係る遊戯用写真作成装置の側面図である。
【図２】第１の実施形態に係る遊戯用写真作成装置の本体部を示す正面図である。
【図３】第１の実施形態に係る遊戯用写真作成装置の要部を機能面から見た構成を示すブロック図である。
【図４】第１の実施形態に係る遊戯用写真作成装置を側面から見た図である。
【図５】第２の実施形態に係る遊戯用写真作成装置を側面から見た図である。
【図６】第３の実施形態に係る遊戯用写真作成装置を側面から見た図である。
【図７】第３の実施形態における（カメラにより撮像された）背景パネルの対向面を正面から見た概略図である。
【図８】第３の実施形態の変形例に係る遊戯用写真作成装置を側面から見た図である。
【図９】第３の実施形態の変形例における（カメラにより撮像された）背景パネルの対向面を正面から見た概略図である。
【符号の説明】
２    …撮影室
４    …本体部
１０  …カメラ
２０  …液晶タッチパネル
２１  …タッチペン
２２  …プレビューモニタ
５２  …撮像部（カメラ）
５４  …確認表示部（プレビューモニタ）
６２  …メイン表示・操作部（液晶タッチパネル）
６４  …出力部（プリンタ）
７０  …照明部
７２  …Ｉ／Ｏ制御部（Ｉ／Ｏ制御装置）
８０  …主制御部（主制御装置）
３００…背景パネル（第１の実施形態における背景提供部）
３０１…反射部
４００…背景パネル（第２の実施形態における背景提供部）
５００…背景パネル（第３の実施形態における背景提供部）
５５０…背景パネル（第３の実施形態の変形例における背景提供部）
【図１】
2004264569.tif 000003
【図２】
2004264569.tif 000004
【図３】
2004264569.tif 000005
【図４】
2004264569.tif 000006
【図５】
2004264569.tif 000007
【図６】
2004264569.tif 000008
【図７】
2004264569.tif 000009
【図８】
2004264569.tif 000010
【図９】
2004264569.tif 000011
【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記照明手段から投射される光が鏡面反射により前記撮影手段に与えられることを抑制する映り込み抑制手段を含むことを特徴とする自動写真作成装置。
【請求項２】
前記映り込み抑制手段は、前記照明手段から投射される光を、前記撮影手段へ向かう方向とは異なる方向へ鏡面反射する反射手段であることを特徴とする、請求項１に記載の自動写真作成装置。
【請求項３】
所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記撮影手段に向かう方向を含む所定の範囲に所定の強度分布を有する反射光が生じるように、前記照明手段から投射される光を鏡面反射する反射手段を含み、
前記反射手段は、前記背景提供部の周縁部近傍に設けられることを特徴とする自動写真作成装置。
【請求項４】
所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記撮影手段へ向かう方向を含む所定の範囲に所定の強度分布を有する反射光が生じるように、前記照明手段から投射される光を鏡面反射する複数の反射手段を含み、
前記反射手段は、出力されるべき写真に写る背景に所定のパターンが形成されるように、所定位置に配置されることを特徴とする、自動写真作成装置。
【請求項５】
前記複数の反射手段は、凹凸を有する面を構成するように配置されることを特徴とする、請求項４に記載の自動写真作成装置。
【請求項６】
所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記照明手段から投射される光が鏡面反射により前記撮影手段に与えられることを抑制する映り込み抑制手段を含む背景提供部を撮影することを特徴とする自動写真作成方法。
【請求項７】
所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記撮影手段に向かう方向を含む所定の範囲に所定の強度分布を有する反射光が生じるように、前記照明手段から投射される光を鏡面反射する反射手段であって前記背景提供部の周縁部近傍に設けられる反射手段を含む背景提供部を撮影することを特徴とする自動写真作成方法。
【請求項８】
所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記撮影手段へ向かう方向を含む所定の範囲に所定の強度分布を有する反射光が生じるように、前記照明手段から投射される光を鏡面反射する複数の反射手段であって出力されるべき写真に写る背景に所定のパターンが形成されるように所定位置に配置される複数の反射手段を含む背景提供部を撮影することを特徴とする、自動写真作成方法。
【請求項９】
請求項６から請求項８までのいずれか１項に記載の自動写真作成方法により写真として印刷されたことを特徴とする印刷媒体。
【手続補正２】
【補正対象書類名】明細書
【補正対象項目名】００１０
【補正方法】変更
【補正の内容】
【００１０】
第３の発明は、所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記撮影手段に向かう方向を含む所定の範囲に所定の強度分布を有する反射光が生じるように、前記照明手段から投射される光を鏡面反射する反射手段を含み、
前記反射手段は、前記背景提供部の周縁部近傍に設けられることを特徴とする。


【手続補正３】
【補正対象書類名】明細書
【補正対象項目名】００１１
【補正方法】変更
【補正の内容】
【００１１】
このような第３の発明によれば、照明手段からの光（の全部または一部）は、背景提供部の反射手段により撮影手段の設置位置へ向かう方向へ鏡面反射される。そのため、背景の周縁部が暗くなることがないように鏡面反射光の影響が考慮された背景パネルを本遊技用写真作成装置に備えることができる。


【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
第４の発明は、所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記撮影手段へ向かう方向を含む所定の範囲に所定の強度分布を有する反射光が生じるように、前記照明手段から投射される光を鏡面反射する複数の反射手段を含み、
前記反射手段は、出力されるべき写真に写る背景に所定のパターンが形成されるように、所定位置に配置されることを特徴とする。


【手続補正６】
【補正対象書類名】明細書
【補正対象項目名】００１４
【補正方法】変更
【補正の内容】
【００１４】
このような第４の発明によれば、照明手段からの光は、背景提供部の各反射手段により所定のパターンが形成されるように鏡面反射される。この鏡面反射光により遊技性または娯楽性を生じるべき意外性を有するデザイン性が得られるように、かつ背景の周縁部が暗くなることがないように、鏡面反射光の影響が考慮された背景パネルを本遊技用写真作成装置に備えることができる。


【手続補正７】
【補正対象書類名】明細書
【補正対象項目名】００１５
【補正方法】変更
【補正の内容】
【００１５】
第５の発明は、第４の発明において、
前記複数の反射手段は、凹凸を有する面を構成するように配置されることを特徴とする。


【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
第６の発明は、所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記照明手段から投射される光が鏡面反射により前記撮影手段に与えられることを抑制する映り込み抑制手段を含む背景提供部を撮影することを特徴とする。


【手続補正１０】
【補正対象書類名】明細書
【補正対象項目名】００１８
【補正方法】変更
【補正の内容】
【００１８】
第７の発明は、所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記撮影手段に向かう方向を含む所定の範囲に所定の強度分布を有する反射光が生じるように、前記照明手段から投射される光を鏡面反射する反射手段であって前記背景提供部の周縁部近傍に設けられる反射手段を含む背景提供部を撮影することを特徴とする。


【手続補正１１】
【補正対象書類名】明細書
【補正対象項目名】００１９
【補正方法】変更
【補正の内容】
【００１９】
第８の発明は、所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記撮影手段へ向かう方向を含む所定の範囲に所定の強度分布を有する反射光が生じるように、前記照明手段から投射される光を鏡面反射する複数の反射手段であって出力されるべき写真に写る背景に所定のパターンが形成されるように所定位置に配置される複数の反射手段を含む背景提供部を撮影することを特徴とする。


【手続補正１２】
【補正対象書類名】明細書
【補正対象項目名】００２０
【補正方法】変更
【補正の内容】
【００２０】
第９の発明は、第６から第８までのいずれか１つの発明に記載の自動写真作成方法により写真として印刷されたことを特徴とする印刷媒体である。




【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記照明手段から投射される光が鏡面反射により前記撮影手段に与えられることを抑制する映り込み抑制手段を含むことを特徴とする自動写真作成装置。
【請求項２】
前記映り込み抑制手段は、前記照明手段から投射される光を、前記撮影手段へ向かう方向とは異なる方向へ鏡面反射する反射手段であることを特徴とする、請求項１に記載の自動写真作成装置。
【請求項３】
所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記撮影手段に向かう方向を含む所定の範囲に所定の強度分布を有する反射光が生じるように、前記照明手段から投射される光を鏡面反射する反射手段を含み、
前記反射手段は、前記背景提供部の周縁部近傍に設けられることを特徴とする自動写真作成装置。
【請求項４】
所定の撮影領域における被写体としての利用者の背景を構成する背景提供部と、当該利用者および当該背景提供部に光を投射する照明手段と、当該利用者を当該背景提供部とともに撮影する撮影手段と、当該撮影手段により得られる撮影画像または当該撮影画像を含む合成画像を写真として出力する出力装置とを備える自動写真作成装置であって、
前記背景提供部は、前記撮影手段へ向かう方向を含む所定の範囲に所定の強度分布を有する反射光が生じるように、前記照明手段から投射される光を鏡面反射する複数の反射手段を含み、
前記反射手段は、出力されるべき写真に写る背景に所定のパターンが形成されるように、所定位置に配置されることを特徴とする、自動写真作成装置。
【請求項５】
前記複数の反射手段は、凹凸を有する面を構成するように配置されることを特徴とする、請求項４に記載の自動写真作成装置。
【請求項６】
所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記照明手段から投射される光が鏡面反射により前記撮影手段に与えられることを抑制する映り込み抑制手段を含む背景提供部を撮影することを特徴とする自動写真作成方法。
【請求項７】
所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記撮影手段に向かう方向を含む所定の範囲に所定の強度分布を有する反射光が生じるように、前記照明手段から投射される光を鏡面反射する反射手段であって前記背景提供部の周縁部近傍に設けられる反射手段を含む背景提供部を撮影することを特徴とする自動写真作成方法。
【請求項８】
所定の撮影領域における被写体としての利用者の背景を構成する背景提供部と当該利用者とに光を投射する照明手段により照らされた当該利用者および当該背景提供部を撮影手段により撮影する撮影ステップと、当該撮影手段により得られる撮影画像または当該撮影画像を含む合成画像を写真として出力する出力ステップとを含む自動写真作成方法であって、
前記撮影ステップでは、前記撮影手段へ向かう方向を含む所定の範囲に所定の強度分布を有する反射光が生じるように、前記照明手段から投射される光を鏡面反射する複数の反射手段であって出力されるべき写真に写る背景に所定のパターンが形成されるように所定位置に配置される複数の反射手段を含む背景提供部を撮影することを特徴とする、自動写真作成方法。
【手続補正２】
【補正対象書類名】明細書
【補正対象項目名】００２０
【補正方法】削除
【補正の内容】